(57)【要約】【課題】ユーザが機器使用する際に、できるだけ高画質で、さらに補正のための待ち時間を最小とできるカラー画像形成装置を提供する。【解決手段】電子写真方式の画像形成部によって形成された画像を、複数重ね合わせ、転写することにより記録媒体上にカラー画像を得るカラー画像形成装置であって、各色間のずれを補正する自動補正手段と、計時用タイマと、前記自動補正手段による補正動作間隔を可変に設定する補正実行間隔設定手段とを備えたことを特徴とする。自動補正手段，計時用タイマ，補正実行間隔設定手段の機能はシステム制御部により達成される。【選択図】　　　　図１
2004109879.tif 000002
【特許請求の範囲】
【請求項１】
電子写真方式の画像形成部によって形成された画像を、複数重ね合わせ、転写することにより記録媒体上にカラー画像を得るカラー画像形成装置であって、
各色間のずれを補正する自動補正手段と、
計時用タイマと、
前記自動補正手段による補正動作間隔を可変に設定する補正実行間隔設定手段と、
を備えたことを特徴とするカラー画像形成装置。
【請求項２】
前記補正動作の開始時刻を指定する補正実行時刻設定手段を備えたことを特徴とする請求項１に記載のカラー画像形成装置。
【請求項３】
精度は高いが補正時間がかかる第１の補正モードと、精度は劣るが補正時間が短い第２の補正モードを有し、
前記計時用タイマにて指定された時刻に第１の補正モードによる補正を行い、前記計時用タイマにて指定された時刻以外には第２の補正モードによる補正を行うことを特徴とする請求項２に記載のカラー画像形成装置。
【請求項４】
ユーザによる指示により、指定時刻以外に前記第１の補正モードによる補正を行う手動補正手段を設けたことを特徴とする請求項３に記載のカラー画像形成装置。
【請求項５】
前記自動補正手段は、曜日を含めた補正時刻設定ができることを特徴とする請求項２記載のカラー画像形成装置。
【請求項６】
使用間隔計測手段を備え、該使用間隔計測手段の計測結果に基づいて、前記補正間隔を自動設定する補正実行間隔設定手段を有することを特徴とする請求項１記載のカラー画像形成装置。
【請求項７】
使用時刻計測手段を有し、当該使用時刻計測手段の計測結果に応じて、前記補正時刻を自動設定する補正時刻自動設定手段を有することを特徴とする、請求項２記載のカラー画像形成装置。
【請求項８】
電子写真方式の画像形成部によって形成された画像を複数重ね合わせ、転写することにより記録媒体上にカラー画像を得るカラー画像形成装置であって、
各色間のずれを補正する自動補正手段と、
前記自動補正手段による補正動作実行中に、出力要求が行われたときは、直ちに補正動作を中止し、印刷動作に入る補正中止手段を備えたことを特徴とするカラー画像形成装置。
【請求項９】
補正動作中の出力要求に対して、補正動作を中止するか、継続するかの優先順位を設定できる補正動作中止・継続設定手段を有することを特徴とする請求項８記載のカラー画像形成装置。
【請求項１０】
補正動作実行中に、出力要求が行われたときは、その時点での補正状態で印刷をしたときの画質が所定画質レベルに達しているか否かを判定する画質判定手段を有し、
前記画質推定手段が、印刷画質が前記所定レベルに達していると判断したときは、補正動作を中止し印刷動作に移行するとともに、ユーザに対して警告を行う警告手段を備えたことを特徴とするカラー画像形成装置。
【請求項１１】
前記警告手段は、前記カラー画像形成装置におけるランプ手段であることを特徴とする請求項１０記載のカラー画像形成装置。
【請求項１２】
前記警告手段は、印刷指示がコンピュータから行われているときは、当該印刷指示を行ったコンピュータのディスプレイに表示することを特徴とする請求項１０記載のカラー画像形成装置。
【発明の詳細な説明】
【０００１】
【発明の属する技術分野】
本発明は、各色成分毎の画像を順次重ね合わせることによりカラー画像を形成するカラー画像形成装置に関し、特に補正開始のタイミング、補正中止のタイミングを操作することができるカラー画像形成装置に関する。
【０００２】
【従来の技術】
カラー画像出力のためのカラー画像形成装置のうち、電子写真プロセスを用いるものでは、たとえば４色のトナーにより画像を形成しており、４色を重ねる際の位置精度を高めないと、色ズレが発生し画質が低下してしまう。そのため、このような画像形成装置では色ズレを補正するための動作が行われる。
【０００３】
たとえば、自動補正を行う場合は、中間転写体上に色ズレ補正用のマークを書き込み、その書き込み状態をセンサで検知し、その結果に応じて、電気的、あるいは機械的に書き込み位置補正を行う（特許文献１等参照）。
【０００４】
このような色ズレの補正は、１つの画像形成装置において一度だけ実施すればよいものではなく、温湿度等の周囲雰囲気変化や、画像形成装置の経時変化、トナーや感光体の交換時など、様々な状況変化に応じて行う必要がある。すなわち、このような種々の原因より色ズレが発生してしまうのである。
【０００５】
【特許文献１】
特開２０００−３０５３４０号
【０００６】
【発明が解決しようとする課題】
一般に、このような補正動作は、上記のような状況変化を受けて自動的に行われる場合が多いが、補正動作自体には一定の時間（数十秒〜数分）が必要となり、ユーザがすぐに使いたいという場合でも、補正動作を行っている場合は画像形成装置を即座には使用できないと言う問題がある。
【０００７】
また、ある期間、画像形成装置を使用していなかった場合において、当該画像形成装置の使用をする場合、使用開始とともに（たとえばプリントを実行する操作を行ったとき）に補正動作に入ってしまい、すぐにプリント出力を得ることができないと言う問題がある。
【０００８】
本発明はこのような問題点を考慮し、ユーザが機器使用する際に、できるだけ高画質で、さらに補正のための待ち時間を最小とできるカラー画像形成装置を提供することを目的とする。
【０００９】
【課題を解決するための手段】
本発明のカラー画像形成装置は、電子写真方式の画像形成部によって形成された画像を、複数重ね合わせ、転写することにより記録媒体上にカラー画像を得るカラー画像形成装置であって、各色間のずれを補正する自動補正手段と、
計時用タイマと、前記自動補正手段による補正動作間隔を可変に設定する補正実行間隔設定手段とを備えたことを特徴とする。サービスマンやユーザによって経時による補正間隔を設定することができるようにしているため、装置用途に応じた、あるいは使用頻度に応じた補正を実行することができる。
【００１０】
本発明のカラー画像形成装置では、前記補正動作の開始時刻を指定する補正実行時刻設定手段を備えることができる。時刻指定により補正を実施するようにしているため、たとえばオフィス等で始業前に補正が完了しており、始業後の使用開始時点での補正を行うことなく、良好な画質の印刷を行うようなことが可能となる。
【００１１】
本発明のカラー画像形成装置では、精度は高いが補正時間がかかる第１の補正モードと、精度は劣るが補正時間が短い第２の補正モードを有することができ、前記計時用タイマにて指定された時刻に第１の補正モードによる補正を行い、前記計時用タイマにて指定された時刻以外には第２の補正モードによる補正を行うことができる。たとえば昼間に補正が必要になった場合は短時間で終了するモードで補正が行われ、夜間には時間の必要な補正を行い、全体として平均的に良好な画質を保つことが可能となる。
【００１２】
本発明のカラー画像形成装置では、ユーザによる指示により、指定時刻以外に前記第１の補正モードによる補正を行う手動補正手段を設けることができる。短時間で可能な補正におる補正画像が十分でないとユーザが判定した場合には、高精度の補正を選択することを可能としているため、ユーザの用途に応じた画質を得ることが可能となる。たとえば、カラー文書の場合は通常の補正でよいが、写真が入る場合は高精度にしたい場合などに有効である。
【００１３】
本発明のカラー画像形成装置では、前記自動補正手段が、曜日を含めた補正時刻設定ができるように構成できる。たとえばオフィス等で出勤日以外に定時の補正動作は必要でないため、曜日に応じて動作を行わないようにすることで、トナー消費量、あるいは電力消費量を削減することが可能となる。
【００１４】
本発明のカラー画像形成装置では、使用間隔計測手段を備えることができ、該使用間隔計測手段の計測結果に基づいて、前記補正間隔を自動設定する補正実行間隔設定手段を有することができる。ユーザの使用頻度に応じて、補正間隔を適宜調整する手段を設けているため、ユーザが使用したい場合に平均的に良好な画質を得ることができるように補正を行うことが可能となる。
【００１５】
本発明のカラー画像形成装置では、使用時刻計測手段を有し、該装置使用時刻計測手段の計測結果に応じて、前記補正時刻を自動設定する補正時刻自動設定手段を有することができる。ユーザの機器使用時刻のパターンに応じて、自動的に補正の時刻を設定するようにしているため、ユーザが使用した場合に平均的に良好な画質を得ることができると同時に、使用したい場合に長時間補正動作が入るような事態を低減することが可能となる。
【００１６】
また、本発明のカラー画像形成装置の他の態様では、電子写真方式の画像形成部によって形成された画像を複数重ね合わせ、転写することにより記録媒体上にカラー画像を得るものであって、各色間のずれを補正する自動補正手段と、前記自動補正手段による補正動作実行中に、出力要求が行われたときは、直ちに補正動作を中止し、印刷動作に入る補正中止手段を備えたことを特徴とする。この場合、補正動作に入っていても、ユーザが使用したい場合に補正動作を中止して優先的に出力動作に入るようにしているため、ユーザの印刷待ち時間を軽減することが可能となる。
【００１７】
また、補正動作中の出力要求に対して、補正動作を中止するか、継続するかの優先順位を設定できる補正動作中止・継続設定手段を有することができる。常に高画質を求める場合には、補正動作を優先にし、待ち時間最小を求める場合には、補正動作中止を優先にするようにしているため、ユーザの使用形態に合わせた設定が可能となるため利便性が向上する。
【００１８】
本発明のさらに他の態様では、補正動作実行中に、出力要求が行われたときは、その時点での補正状態で印刷をしたときの画質が所定画質レベルに達しているか否かを判定する画質判定手段を有し、前記画質推定手段が、印刷画質が前記所定レベルに達していると判断したときは、補正動作を中止し印刷動作に移行するとともに、ユーザに対して警告を行う警告手段を備えたことを特徴とする。これにより、十分な補正を行わないまま出力が行われたという注意をユーザに喚起することで、ユーザの利便性を高める。
【００１９】
またこの態様では、前記警告手段は、前記カラー画像形成装置におけるランプ手段とすることができる。本体ランプの点灯あるいは点滅等により、補正途中で出力が行われたと言うことの注意をユーザに喚起することが出気、ユーザの利便性が高まる。
【００２０】
さらに、前記警告手段は、印刷指示がコンピュータから行われているときは、当該印刷指示を行ったコンピュータのディスプレイに表示することができる。これにより、出力を行ったパーソナルコンピュータ（ＰＣ）上に、補正途中での出力が行われたということを表示するようにしているため、ユーザに注意を喚起することができ、ユーザの利便性が高まる。
【００２１】
【発明の実施の形態】
図１に本発明の一実施例である、カラープリンタのブロック図を示す。
図１において、操作表示部１０１は各種操作あるいは設定値入力などを行うユーザインタフェース部であり、操作パネル、ディスプレイからなり、ディスプレイには各種情報が表示される。
システム制御部１０２は、ＣＰＵ、タイマ、ＲＡＭ、ＲＯＭ等から構成され、装置全体の動作制御を行う。
ＬＡＮインタフェース１０３は、たとえば１００Ｂａｓｅ−Ｔ，ＩＥＥＥ８０２．１１ｂ等、外部装置とのデータ入出力用のインタフェース部である。
ＰＣインタフェース１０７は、ＩＥＥＥ１２８４（いわゆるパラレルインタフェース）やＵＳＢで構成され、ＰＣとのデータ授受を行うインタフェース機能を持つ。
【００２２】
記憶手段１０５は半導体メモリあるいはハードディスクなどであり、印刷用データを一時記憶するものである。
プロッタ部１０６はカラーでの画像出力が可能であり、ここでは電子写真方式であり、タンデム方式と呼ばれる４色の書き込み装置が並列に配置されており、１回の紙パスで４色の画像を一度に形成するものを想定している。しかしながら、本発明の適用範囲はこれだけには限らない。つまり、色ズレ補正動作が必要であるプロッタ装置に幅広く応用が可能である。
システムバス１０４はそれぞれのモジュールが機器内部データの授受を行うためのバスである。
【００２３】
本発明の第１実施形態を図２により説明する。電源が投入されると（Ｓ１０１）、補正実行間隔設定手段により補正実行間隔が設定される（Ｓ１０２）。次に、設定時間に到達したか否か（設定間隔を経過したか否か）をチェックし（Ｓ１０３）、設定時間に到達したとき（設定間隔を経過したとき）は、自動補正手段による補正を実行する（Ｓ１０４）。この後、電源を断としたとき処理を終了し、断としないときはＳ１０３に処理を戻す（Ｓ１０５）。
【００２４】
第１実施形態では、色ズレに対する補正を行う場合、補正実行間隔をサービスマンあるいはユーザが設定できる補正実行間隔設定手段を有している。この設定手段は、操作表示部１０１の操作パネル、システム制御部１０２のＣＰＵ，ＲＯＭ等に格納されたプログラムにより実現される。
設定間隔が短い場合は高画質が維持される一方で、補正時には記録材を使用するため、記録材が消費されたり、あるいは電力が消費されたりする頻度が大きくなる。そのためユーザの使用頻度と要求される画質の維持などを踏まえて、補正動作を自動的に行う時間間隔を設定できるようにしておくことでユーザの要求する状態に設定できるため、ユーザ利便性を向上させることができる。なお、補正動作は、電源が切られるまでは繰り返し実施される。
【００２５】
本発明の第２実施形態を図３により説明する。電源が投入されると（Ｓ２０１）、補正実行時刻設定手段により補正実行時刻が設定される（Ｓ２０２）。次に、設定時刻に到達したか否かをチェックし（Ｓ２０３）、設定時刻に到達したときは、自動補正手段による補正を実行する（Ｓ２０４）。この後、電源を断としたとき処理を終了し、断としないときはＳ２０３に処理を戻す（Ｓ１０５）。
【００２６】
第２実施形態では、やはり経時による色ズレに対する補正を行うことを想定したものであるが、第１実施形態とは異なり、設定できるのは時間間隔ではなく、時刻である。すなわち内蔵のタイマ装置は、時刻を得られるものとなっている。毎日設定時刻が来た場合に、補正を実施する。たとえばオフィスなどで、使い始める時点で（つまりその日の初めてのプリントアウト）補正を行われるとすると、最初の１枚のプリントを得るまでに長い時間が必要となってしまう場合がある。始業前の時刻に自動的に補正が終了していれば、その日最初のプリントなども迅速に得ることができ、ユーザの利便性が向上する。
補正は１日１回に限るものではない。必要に応じて日に複数回の補正実施ができるように設定しても良い。
【００２７】
本発明の第３実施形態を図４により説明する。電源が投入されると（Ｓ３０１）、補正実行時刻設定手段により補正実行時刻が設定される（Ｓ３０２）。次に、設定時刻に到達したか否かをチェックし（Ｓ３０３）、設定時刻に到達したときは、自動補正手段により第１の補正モードによる補正を実行する（Ｓ３０４）。この後、電源を断としたとき処理を終了し、断としないときはＳ３０３に処理を戻す（Ｓ３０７）。Ｓ３０３で設定時刻に到達していないときは、補正実行要因が発生したか否かをチェックし（Ｓ３０５）、補正実行要因が発生していないときは、処理をＳ３０３に戻す。Ｓ３０５で補正実行要因が発生しているときは、自動補正手段により第２の補正モードによる補正を実行し（Ｓ３０６）、この後、電源を断としたとき処理を終了し、断としないときはＳ３０３に処理を戻す（Ｓ３０７）。
【００２８】
第３実施形態では、色ズレ補正モードとして精度が良いが補正に時間がかかる補正モード（第１のモード：高精度モード）、精度が劣るが高速に補正を実施できる補正モードと（第２のモード：高速モード）、を持つような機器に関するものである。
たとえば、昼間に補正が必要な事態となった場合には、プリントアウトの頻度も高く、待ち時間が短い方が良いため高速モードで補正を実施し、使用頻度の少ない夜間に高精度モードで補正を行うようにして、翌日の使用時には高精度の色ズレ補正後の状態で使用できるようになる。こうすることで、高画質と待ち時間短縮の両方を平均的に達成することができる。
【００２９】
本発明の第４実施形態を図５により説明する。電源が投入されると（Ｓ４０１）、補正実行時刻設定手段により補正実行時刻が設定される（Ｓ４０２）。次に、設定時刻に到達したか否かをチェックし（Ｓ４０３）、設定時刻に到達したときは、自動補正手段により第１の補正モードによる補正を実行する（Ｓ４０４）。この後、電源を断としたとき処理を終了し、断としないときはＳ３０３に処理を戻す（Ｓ４０８）。Ｓ４０３で設定時刻に到達していないときは、補正実行要因が発生したか否かをチェックし（Ｓ４０５）、補正実行要因が発生していないときは、処理をＳ４０３に戻す。Ｓ４０５で補正実行要因が発生しているときは、第１の補正モードによる補正を実行し（Ｓ４０６）、ユーザ判定を行い（手動補正が必要か否かを判断し）（Ｓ４０７）、画質が上質でないときは、処理をＳ４０４に戻して第１の補正モードによる補正を実行する。画質が上質でない場合において、電源を断としたとき処理を終了し、断としないときはＳ４０３に処理を戻す（Ｓ４０８）。
【００３０】
第４実施形態では、指定時刻外でもユーザの判断で前記高精度モードでの補正を行うことを可能としたものである。たとえば、高速モードで実施した補正による出力画像がユーザの意図に反する場合、再度ユーザ指示により高精度モードでの補正を行い、出力画質を向上させるものである。
本発明の第５実施形態を図６により説明する。電源が投入されると（Ｓ５０１）、非実行曜日設定手段により補正実行時刻を設定するとともに非実行曜日を設定する（Ｓ５０２）。次に、設定時刻に到達したか否かをチェックし（Ｓ５０３）、設定時刻に到達したときは、非実行曜日でない（実行曜日である）かをチェックする（Ｓ５０４）。これにより、設定曜日の設定時刻において、自動補正手段により補正を実行する（Ｓ５０５）。この後、電源を断としたとき処理を終了し、断としないときはＳ５０３に処理を戻す（Ｓ５０６）。
【００３１】
第５実施形態では、第２実施形態における補正動作実施時刻設定を、曜日を含めて行うことができるようにしたものである。オフィス等では、出勤日以外では定時補正動作を行わない設定とすることができるため、補正動作に必要な記録材および電力の削減に寄与することができる。
【００３２】
本発明の第６実施形態を図７により説明する。電源が投入されると（Ｓ６０１）、補正実行間隔設定手段により補正実行間隔を設定する（Ｓ６０２）。次に、装置の使用が開始されたか否かをチェックし（Ｓ６０３）、装置の使用が開始されない場合において、電源を断としたとき処理を終了し、断としないときはＳ６０３に処理を戻す（Ｓ６０４）。Ｓ６０３において、装置が使用されたときは、前回使用からの時間間隔を記録し（Ｓ６０５）、記録値が所定数に達したか否かをチェックし（Ｓ６０６）、記録値が所定数に達しないときは処理をＳ６０３に戻し、記録値が所定数に達したときは補正実行間隔を再計算し（Ｓ６０７）、処理をＳ６０２に戻す。
【００３３】
第６実施形態では、装置の使用間隔を計測し、その平均値などを基にして補正間隔を自動的に設定するようにしたものである。これにより、ユーザが設定しなくても実際の装置使用頻度に基づいて自動的に補正間隔の最適値が設定されるため、利便性が向上する。
【００３４】
本発明の第７実施形態を図７により説明する。電源が投入されると（Ｓ７０１）、補正実行時刻設定手段により補正実行時刻を設定する（Ｓ７０２）。次に、装置の使用が開始されたか否かをチェックし（Ｓ７０３）、装置の使用が開始されない場合において、電源を断としたとき処理を終了し、断としないときはＳ７０３に処理を戻す（Ｓ７０４）。Ｓ７０３において、装置が使用されたときは、使用時刻を記録し（Ｓ７０５）、記録値が所定数に達したか否かをチェックし（Ｓ７０６）、記録値が所定数に達しないときは処理をＳ７０３に戻し、記録値が所定数に達したときは補正実行時刻を再計算し（Ｓ７０７）、処理をＳ７０２に戻す。
【００３５】
第７実施形態では、装置使用時刻を記録し、使用時刻のヒストグラムなどに応じて補正に最適な時刻を自動的に設定するようにしたものである。たとえば「午前１０時から午後５時までの使用頻度が高い場合は、午前９時に補正動作を行う」などの自動設定を行うことで、ユーザが設定しなくても実際の機器使用頻度に基づいて自動的に補正時刻の最適値が設定されるため、ユーザ利便性が向上する。さらに、機器使用時刻の記録の際に曜日も含めれば、日曜などに補正実施しないと言うのも自動設定可能である。
【００３６】
次に、本発明の第８実施形態を図８により説明する。補正動作が開始されると（Ｓ８０１）、出力開始要求があったか否かをチェックし（Ｓ８０２）、出力開始要求があったときは画像出力を開始し（Ｓ８０３）、画像出力が終了したとき（Ｓ８０４）は処理を終了する。Ｓ８０２において出力開始要求がないときは補正動作を終了し（Ｓ８０５）、処理をＳ８０２に戻す。
【００３７】
第８実施形態では、一旦補正動作には言ってしまうと時間がかかってしまい、すぐにプリントアウトを得ることができないと言う事態に対応したものであり、補正動作に入っている場合でも、出力要求が行われた場合には、補正動作をアボートし、出力動作を優先させて行うようにしたものである。
このようにすることで、ただちにプリント画像を得たいというユーザの要求にこたえることができる。
【００３８】
本発明の第９実施形態を図１０により説明する。補正動作が開始されると（Ｓ９０１）、出力開始要求があったか否かをチェックし（Ｓ９０２）、出力開始要求があったときは、補正動作優先設定がされているかをチェックし（Ｓ９０３）、補正動作優先設定がされているとき、およびＳ９０２において出力開始要求がされていないときは補正動作が終了しているか否かをチェックし（Ｓ９０４）、補正動作が終了していないときは、処理をＳ９０２に戻す。補正動作処理が終了しているときは出力開始要求あった否かをチェックし（Ｓ９０５）、出力開始要求がなければ処理を終了し、出力開始要求があったときおよびＳ９０３で補正動作優先設定がなされていないときは、画像出力を開始し（Ｓ９０６）、画像出力が終了したときは（Ｓ９０７）処理を終了する。
【００３９】
第９実施形態では、第８実施形態において、補正動作を優先させるか、出力動作を優先させるかの何れかを設定できるようにしたものであり、ユーザの必要に応じた設定を可能としたものである。
本発明の第１０実施形態を図１１により説明する。補正動作が開始されると（Ｓ１１１）、出力開始要求があったか否かをチェックし（Ｓ１１２）、出力開始要求があったときは、画質判定を行い（Ｓ１１３）、画質が良好でない（ＮＧ）なら警告表示をした後（Ｓ１１４）、画質が良好（ＯＫ）なら直ちに、画像出力を開始し（Ｓ１１５）、画像出力が終了したとき（Ｓ１１６）に処理を終了する。Ｓ１１２において、出力開始要求がないときは補正動作が終了か否かをチェックし（Ｓ１１７）、補正動作が終了であれば終了し、補正動作が終了でなければ処理をＳ１１２に戻す。
【００４０】
第１０実施形態は、第８実施形態において補正状態が途中であり、その時点での画質が十分でないと判定した場合にユーザに対して警告を行うものである。第８実施形態では、ユーザは待ち時間無く出力を得られるが、一方で画質が十分でない場合がある。そのような場合に、ユーザに注意を喚起する意味で、警告表示を行い、出力が十分な画質を持たないかもしれないと言うことを示すことで、ユーザの利便性を向上させる。
【００４１】
なお、第１１実施形態として、第１０実施形態における、カラー画像形成装置の警告表示を本体ランプとすることができる。
第１２実施形態では、第１０実施形態の警告表示を出力側のＰＣの画面に行うようにしている。ＰＣインタフェース１０７に接続されたＰＣであると、ＰＣとは相互通信を行っており、カラー画像形成装置側からの情報を、通信によりＰＣ側に送信し、ドライバを介して画面に表示を行うことができる。図１２にその一例を示す。
【００４２】
【発明の効果】
本発明によれば、ユーザが機器使用する際に、できるだけ高画質で、さらに補正のための待ち時間を最小とできるカラー画像形成装置を提供できる。特に、カラープリンタ、カラーファクシミリ、通信機能を有するカラープリンタ機器、ＰＣとプリンタを組み合わせたカラー通信機器などへの応用が期待できる。
【図面の簡単な説明】
【図１】本発明のカラー画像形成装置の一構成例を示す図である。
【図２】図１のカラー画像形成装置を用いた第１実施形態を示すフローチャートである。
【図３】図１のカラー画像形成装置を用いた第２実施形態を示すフローチャートである。
【図４】図１のカラー画像形成装置を用いた第３実施形態を示すフローチャートである。
【図５】図１のカラー画像形成装置を用いた第４実施形態を示すフローチャートである。
【図６】図１のカラー画像形成装置を用いた第５実施形態を示すフローチャートである。
【図７】図１のカラー画像形成装置を用いた第６実施形態を示すフローチャートである。
【図８】図１のカラー画像形成装置を用いた第７実施形態を示すフローチャートである。
【図９】図１のカラー画像形成装置を用いた第８実施形態を示すフローチャートである。
【図１０】図１のカラー画像形成装置を用いた第９実施形態を示すフローチャートである。
【図１１】図１のカラー画像形成装置を用いた第１０実施形態を示すフローチャートである。
【図１２】図１のカラー画像形成装置を用いた第１２実施形態における画面表示例を示す図である
【符号の説明】
１０１　操作表示部
１０２　システム制御部
１０３　ＬＡＮインタフェース
１０４　システムバス
１０５　記憶手段
１０６　プロッタ部
１０７　ＰＣインタフェース
【図１】
2004109879.tif 000003
【図２】
2004109879.tif 000004
【図３】
2004109879.tif 000005
【図４】
2004109879.tif 000006
【図５】
2004109879.tif 000007
【図６】
2004109879.tif 000008
【図７】
2004109879.tif 000009
【図８】
2004109879.tif 000010
【図９】
2004109879.tif 000011
【図１０】
2004109879.tif 000012
【図１１】
2004109879.tif 000013
【図１２】
2004109879.tif 000014